(57)【特許請求の範囲】
【請求項１】
複数の光源を備える照明器具であって、
前記光源は、
中央に配置される第１光源と、
前記第１光源の周囲に配置される第２光源と、を含み、
前記第１光源に対向して配置されるレンズと、
前記第２光源に対向して配置される透光部材と、
前記第１光源と前記第２光源の間を区画するとともに前記レンズを収容する円筒状の隔壁部と、
前記レンズ及び前記透光部材を前記隔壁部に保持する略円筒状の保持部材と、
前記第２光源において、前記第１光源から離間する側に配置されるとともに前記第２光源からの光を反射する反射部材と、を備え、
前記隔壁部の内周面は、前記第１光源から出た光の一部を反射し、
前記保持部材の外周面は、前記第２光源から出た光の一部を反射する、照明器具。
【請求項２】
請求項１に記載の照明器具であって、
前記透光部材は、前記レンズの周囲に配置されるとともにすり鉢状に形成される、照明器具。
【請求項３】
請求項１または請求項２に記載の照明器具であって、
前記透光部材は、通過する光を拡散する、照明器具。
【請求項４】
請求項１から請求項３のいずれか一項に記載の照明器具であって、
前記第１光源および前記第２光源のうち少なくともいずれか一方は、ＬＥＤを含む、照明器具。
【発明の詳細な説明】
【技術分野】
【０００１】
本発明は、照明器具に関する。
【背景技術】
【０００２】
従来、光源として複数のＬＥＤを備えた照明器具が知られている（例えば、特許文献１参照）。
【０００３】
特許文献１には、複数のＬＥＤを円周状に並べてＬＥＤ群を構成し、複数のＬＥＤ群が同心円状になるように配置された光源を有する照明器具が開示されている。特許文献１の照明器具においては、複数のＬＥＤ群からの光を二つのレンズを通過させることで配光制御している。
【先行技術文献】
【特許文献】
【０００４】
【特許文献１】国際公開第２０１１／１４４５９７号公報
【発明の概要】
【発明が解決しようとする課題】
【０００５】
しかしながら、特許文献１に開示された照明器具においては、複数のＬＥＤからの光をまとめてレンズに入射させることにより配光制御するため、複数のＬＥＤのうち一部を、スポット光として制御したり、もしくは拡散光として制御することができない。すなわち、複数の光源を有していても、光源を分割して、スポット光や拡散光としてそれぞれ独立して配光制御することができない。
【０００６】
そこで、本発明は、上記課題に鑑みてなされたものであり、複数の光源を有する照明器具であって、光源を分割して、スポット光や拡散光としてそれぞれ独立して配光制御する照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
複数の光源を備える照明器具であって、
前記光源は、
中央に配置される第１光源と、
前記第１光源の周囲に配置される第２光源と、を含み、
前記第１光源に対向して配置されるレンズと、
前記第２光源に対向して配置される透光部材と、
前記第１光源と前記第２光源の間を区画するとともに前記レンズを収容する円筒状の隔壁部と、
前記レンズ及び前記透光部材を前記隔壁部に保持する略円筒状の保持部材と、
前記第２光源において、前記第１光源から離間する側に配置されるとともに前記第２光源からの光を反射する反射部材と、を備え、
前記隔壁部の内周面は、前記第１光源から出た光の一部を反射し、
前記保持部材の外周面は、前記第２光源から出た光の一部を反射するものである。
【００１３】
本願に開示する照明器具において、
前記透光部材は、前記レンズの周囲に配置されるとともにすり鉢状に形成されることが好ましい。
【００１４】
本願に開示する照明器具において、
前記透光部材は、通過する光を拡散することが好ましい。
【００１５】
本願に開示する照明器具において、
前記第１光源および前記第２光源のうち少なくともいずれか一方は、ＬＥＤを含むことが好ましい。
【発明の効果】
【００１６】
本発明によれば、光源を分割して、スポット光や拡散光としてそれぞれ独立して配光制御することができる。
【図面の簡単な説明】
【００１７】
【図１】本発明の一実施形態に係る埋込型照明器具を斜め下方から見た斜視図。
【図２】埋込型照明器具を斜め上方から見た斜視図。
【図３】埋込型照明器具を示す平面図。
【図４】灯具本体を取付穴に取り付けた状態を示す図であり、図３のＡ−Ａ′線断面図。
【図５】灯具本体を下方から見た下面図。
【図６】基板のＬＥＤ素子の配置を示す図。
【図７】反射部材を示す斜視図であり、（ａ）斜め下方から見た斜視図、（ｂ）は斜め上方から見た斜視図。
【図８】パネルを示す斜視図であり、（ａ）斜め下方から見た斜視図、（ｂ）は斜め上方から見た斜視図。
【図９】レンズホルダを示す斜視図であり、（ａ）斜め下方から見た斜視図、（ｂ）は斜め上方から見た斜視図。
【図１０】パネルによる配光制御を説明するための説明図。
【図１１】隔壁及びレンズホルダによる配光制御を説明する説明図。
【図１２】レンズホルダによる配光制御を説明する説明図。
【図１３】反射部材及びレンズホルダによる配光制御を説明する説明図。
【発明を実施するための形態】
【００１８】
本発明の実施形態に係る埋込型照明器具１００について、図１から図１３を用いて説明する。埋込型照明器具１００は、図４に示すように取付面となる天井Ｃに形成された、例えば、丸型の取付穴Ｈに埋め込まれて設置されるダウンライトである。以下の説明では、埋込型照明器具１００の上下方向は、埋込型照明器具１００が天井Ｃに設置された状態における上下方向（図４における上下方向）として説明する。上下方向に直交する方向を径方向として説明する。また、本実施形態の説明において、上方から埋込型照明器具１００等を視た状態を平面視とする。上下方向に対して直交方向から埋込型照明器具１００等を視た状態を側面視とする。埋込型照明器具１００等の断面形状を視た状態を断面視とする。
【００１９】
埋込型照明器具１００は、図１、図２に示すように、灯具本体１１と、電源部５１とを主に備える。灯具本体１１は、図示しない保持部材により電源部５１と連結され、電源部５１を灯具本体１１の側方に保持する。
【００２０】
灯具本体１１は、光源部２１、ヒートシンク４１、フランジ部３５及び取付バネ７１を有している。
【００２１】
光源部２１は、埋込型照明器具１００の照射面側に向けて光を出射する部分である。光源部２１は、図４に示すように、灯具本体１１の開口部１１ａの内部であって、ヒートシンク４１の光源配置部４４内に設けられており、基板２２、レンズ２９、反射部材２３、パネル２４、レンズホルダ３０を有している。
【００２２】
図６に示すように、基板２２は、円板状に加工された実装面に、複数の点光源であるＬＥＤ素子を備えたＬＥＤモジュールである。ＬＥＤ素子としては、第１ＬＥＤ素子３１と、該第１ＬＥＤ素子３１の周囲に配置される第２ＬＥＤ素子３２を有している。第１ＬＥＤ素子３１は、基板２２の中央部に配置される円形状発光面を有するＬＥＤである。第２ＬＥＤ素子３２は、第１ＬＥＤ素子３１の光軸Ｌ１（図４参照）を中心として複数（本実施形態では、１２個）の第２ＬＥＤ素子３２ａが同心円状に略等間隔で配置されるＬＥＤである。第１ＬＥＤ素子３１は、反射部材２３の第１ＬＥＤ素子用の光源孔２３ａに対応するように配置される。第２ＬＥＤ素子３２（複数の第２ＬＥＤ素子３２ａ）は、反射部材２３の第２ＬＥＤ素子用の複数の光源孔２３ｂに対応する位置に配置される。基板２２は、実装面の裏面がヒートシンク４１の光源配置部４４の底面４４ａに当接して配置され、ネジ等の取付部材によりヒートシンク４１に取り付けられる。基板２２は、電線(図示せず)によって電源部５１と電気的に接続されている。第１ＬＥＤ素子３１には、出光面に対向する位置に、レンズ２９が配置されている。
なお、本実施形態では、光源として表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。すなわち、第１ＬＥＤ素子３１は、本発明の第１光源の一例である。第２ＬＥＤ素子３２は、本発明の第２光源の一例である。
また、基板２２は、熱伝導性シート（図示せず）や放熱グリスを介して光源配置部４４に取り付けてもよく、これにより、より高い放熱性を得ることができる。
また、第１ＬＥＤ素子３１は、本実施の形態では１個としたが、複数個備えていてもよい。
また、第１ＬＥＤ素子３１と第２ＬＥＤ素子３２とは、同一色温度のＬＥＤ素子を採用してもよいし、異なる色温度のＬＥＤ素子を採用してもよい。異なる色温度のＬＥＤ素子を採用する場合は、例えば、第１ＬＥＤ素子３１として色温度が５０００ケルビン前後（いわゆる昼白色）のＬＥＤ素子を採用し、第２ＬＥＤ素子３２として色温度が３０００ケルビン前後（いわゆる電球色）のＬＥＤ素子を採用することができる。
【００２３】
レンズ２９は、第１ＬＥＤ素子３１が発した光（発光光）を配光制御するための光学部材である。具体的には、レンズ２９は、第１ＬＥＤ素子３１が発した光（発光光）を中角配光する、中角配光レンズである。レンズ２９は、透光性の高い化学的に安定した光学材料（例えばアクリル樹脂、ポリカーボネート、ガラスなど）を適用して形成される。また、本実施形態のレンズ２９は、コリメートレンズであるが、これに限らず、用途に合わせて他の形状に形成してもよい。レンズ２９は、図４に示すように、下端が大径面で上端が小径面を有する略砲弾形状である。レンズ２９は、光源である第１ＬＥＤ素子３１からの入射面として、第１ＬＥＤ素子３１に対向して設けられる入射凹部２９ａ、該入射凹部２９ａの上端周縁から下方に行くに従って拡径される拡径部２９ｂを有している。入射凹部２９ａの底面は、第１ＬＥＤ素子３１に向けて凸曲面形状を有している。レンズ２９は、出射面として、出射凹部２９ｃ、該出射凹部２９ｃの周囲に円環状に形成された平坦面状の出射円環面２９ｄを有している。レンズ２９は、下端側の外周面から径方向外側に突出する鍔部２９ｅを有している。レンズ２９は、上端側（レンズ２９の小径側）を隔壁部２３ｅ内に収容し、鍔部２９ｅが該隔壁部２３ｅの下端に係止されて位置決めされる。第１ＬＥＤ素子３１は、光源孔２３ａを介してレンズ２９の上端側（レンズ２９の小径側）に近接して配置され、入射凹部２９ａの底面に対面して配置されるとともに、第１ＬＥＤ素子３１の光軸Ｌ１がレンズ２９の軸線に対して同軸上に配置される。レンズ２９は、第１ＬＥＤ素子３１から入射面に入射した光を所定の照射角となるように集光することができる。すなわち、レンズ２９は、第１ＬＥＤ素子３１からの光を集光して、スポット光にするものである。
なお、本実施形態では、レンズ２９として、中角配光レンズを用いたが、特に限定するものではない。例えば、レンズとしてスポット光を得られるものであればよく、中角配光レンズよりも照射角が狭い狭角配光レンズを用いることもできる。また、レンズ２９に代えて、例えば円盤状や半球状の透明カバーや、例えば円盤状や半球状の透光性カバーを備えてもよい。また、レンズ２９の出射円環面２９ｄには、第１ＬＥＤ素子３１からの光を拡散させる光拡散処理（シボ加工、消し加工など）が施されていてもよく、これにより照度ムラや色相分離現象を軽減できる。
【００２４】
反射部材２３は、第２ＬＥＤ素子３２において、第１ＬＥＤ素子３１から離間する側に配置されるとともに第２ＬＥＤ素子３２からの光を反射可能な位置に配置される。反射部材２３は、第１ＬＥＤ素子３２からの光と第２ＬＥＤ素子３２からの光をそれぞれ独立して反射する部材である。反射部材２３は、パネル２４と基板２２とを所定間隔で離間する部材である。反射部材２３は、図７に示すように、一端が開放された略円筒状の部材である。反射部材２３は、樹脂素材等により形成される。反射部材２３は、光源配置部４４内に収容されて、光源配置部４４に配設されたネジ孔６１に螺合されるネジ部材６０によって、灯具本体１１に取り付けられる。反射部材２３は、底面部２３ｃが円板状に形成され、該底面部２３ｃに連設される周壁部２３ｄが底面部２３ｃから離間するに従って緩やかに広がる略椀形状に形成されている。反射部材２３の内側面は、ＬＥＤ素子から発光される光を反射する反射面となっている。円板状に形成された底面部２３ｃには、中央部において第１ＬＥＤ素子３１を露出させる円形状の光源孔２３ａが形成され、該光源孔２３ａを中心に同心円状に第２ＬＥＤ素子３２（複数の第２ＬＥＤ素子３２ａ・３２ａ・・・）のそれぞれを露出させる複数の光源孔２３ｂ・２３ｂ・・・が形成されている。円形状の光源孔２３ａの周囲には、底面部２３ｃから下方へ突出し、下端が開放された円筒状の隔壁部２３ｅが形成されている。すなわち、円形状の光源孔２３ａは、隔壁部２３ｅ内の底面部２３ｃの中央部に開口形成される。
なお、本実施形態の反射部材２３では、図７に示すように、基板２２に電気的に接続される電線（図示せず）を挿通するために反射部材２３の上端角部の一部を切り欠いて開口部２３ｇを設けている。そのため、開口部２３ｇ近傍では、第２ＬＥＤ素子３２を露出させる光源孔として、半円状に形成された光源孔２３ｂａが設けられている。
【００２５】
隔壁部２３ｅは、第１ＬＥＤ素子３１と第２ＬＥＤ素子３２の間を区画するものである。光源孔２３ｂは、該隔壁部２３ｅと周壁部２３ｄとの間の底面部２３ｃにおいて、光源孔２３ａを中心とする同心円状に開口形成される。隔壁部２３ｅは、レンズ２９を収容して、レンズ２９を灯具本体１１の光源配置部４４内の中央部に位置決めする部分である。詳細は後述するが、反射部材２３は、光源孔２３ａを介して反射部材２３内に入る第１ＬＥＤ素子３１からの光と、光源孔２３ｂを介して反射部材２３内に入る第２ＬＥＤ素子３２からの光とを、隔壁部２３ｅにより互いが干渉することを防ぐことができる。また、反射部材２３は、第２ＬＥＤ素子３２から発光された光のうち、側方に向かう光を反射面で反射させ、下方に向かうように配光制御する。すなわち、反射面が形成された反射部材２３により、第２ＬＥＤ素子３２の下方以外の方向に出た光を反射させて、第２ＬＥＤ素子３２から発光される光が、効率よく集光される。
【００２６】
隔壁部２３ｅは、第１ＬＥＤ素子３１において、第２ＬＥＤ素子３２から離間する側に配置されるとともに第１ＬＥＤ素子３１からの光を反射する部材である。隔壁部２３ｅは、内周面により第１ＬＥＤ素子３１からの光を反射する。
【００２７】
なお、本実施形態において、反射部材２３の形状を略椀状に形成したが、特に限定するものではない。例えば、反射部材２３の形状として、反射部材２３が有する周壁部２３ｄが下方に行くに従って広がる放物面状や傾斜面状に形成されるものであっても良い。
【００２８】
反射部材２３の上部には、灯具本体１１が有する係止孔４５に係止することで反射部材２３を灯具本体１１（光源配置部４４）に対して位置決めする係止突起２３ｆが立設されている。
【００２９】
反射部材２３は、高反射率を有するポリカーボネート樹脂により形成されている。
なお、本実施形態では、反射部材２３をポリカーボネート樹脂で形成しているが、特に限定するものではない。例えば、その他の樹脂部材や金属部材を用いることもできる。また、反射を高めるために、反射部材２３の反射面にアルミ蒸着又は銀蒸着によるコーティングを施してもよい。
【００３０】
パネル２４は、レンズ２９の周囲に配置されるとともにすり鉢状に形成される部材である（図８参照）。パネル２４は、第２ＬＥＤ素子３２に対向して配置され、第２ＬＥＤ素子３２の下方を覆う透光部材である。パネル２４は、レンズ２９の下端の外周近傍から灯具本体１１の開口部１１ａに亘って閉塞し、光源配置部４４内に配置された第２ＬＥＤ素子３２からの光を透過及び拡散させる透光部材である。パネル２４は、透光性を有する樹脂素材（例えば、アクリル樹脂等）やガラス素材等で形成される。パネル２４は、平面視において円環状でレンズ２９及びレンズホルダ３０を中心にして下方に向かって拡径するように形成されている。パネル２４は、図４、図８に示すように、開口部２４ａ、係止部２４ｂ、断面視略ハ字状の周壁部２４ｃを有している。パネル２４は、中央部において円形状の開口部２４ａが形成される。該開口部２４ａには、断面視略Ｌ字状でレンズホルダ３０の段部３０ｃが係止される係止部２４ｂが連設される。周壁部２４ｃは、該係止部２４ｂから延設され、下方に行くに従って広がる放物面状に形成される。周壁部２４ｃは、第２ＬＥＤ素子３２から発光される光を透過及び拡散する面となっている。パネル２４は、外周端が灯具本体１１の開口部１１ａ近傍の段部１１ｂに係止されることで灯具本体１１に位置決めされる。このように、パネル２４の外周端が位置決めされた状態で、係止部２４ｂがレンズホルダ３０の段部３０ｃに係止され、レンズホルダ３０が隔壁部２３ｅに嵌合される。パネル２４は、第２ＬＥＤ素子３２からの光を通過させることで、パネル２４の出射面から拡散光を出射することができる。具体的には、パネル２４は、レンズ２９によって得られる中角配光のスポット光よりも照射角が広い広角配光の拡散光を出射することができる。
なお、パネル２４の下方から見た形状は、図５等に示すような円形形状に限らず、四角形等の多角形でもよく、種々の取付穴の開口形状に取り付け可能な形状であってもよい。
【００３１】
レンズホルダ３０は、レンズ２９及び反射部材２３を隔壁部２３ｅに保持する保持部材である。レンズホルダ３０は、図９に示すように、両端が開放された略円筒状の部材である。レンズホルダ３０は、円筒壁部３０ａ、係止部３０ｂ、段部３０ｃ、及び、係合孔３０ｄを有している。円筒壁部３０ａの内径は、反射部材２３が有する隔壁部２３ｅの外形よりも大きく、該隔壁部２３ｅの外周面に嵌合可能である。円筒壁部３０ａの上端側は、パネル２４が有する開口部２４ａに挿通可能である。円筒壁部３０ａの下端には、径方向内側に突出し、レンズ２９の鍔部２９ｅを係止する係止部３０ｂが形成されている。レンズホルダ３０の外周面の下端側は、径方向外側に突出し、パネル２４が有する係止部２４ｂを係止する段部３０ｃが形成されている。係合孔３０ｄは、側面視略Ｌ字状に切り欠かれ、反射部材２３が有する係止突起２３ｆを係止する孔である。レンズホルダ３０は、レンズ２９が隔壁部２３ｅに収容されるとともに、パネル２４の外周縁を灯具本体１１の段部１１ｂに係止した状態で、隔壁部２３ｅの外周面とパネル２４の開口部２４ａとの間に形成される隙間に円筒壁部３０ａの上端を差し込んで、隔壁部２３ｅの下端と係止部３０ｂとの間でレンズ２９の鍔部２９ｅを挟持するとともに、段部３０ｃによりパネル２４の係止部２４ｂが係止される。この際に、係止突起２３ｆはレンズホルダ３０の係合孔３０ｄに沿って上下方向中途部まで案内され、レンズホルダ３０が隔壁部２３ｅの外周に嵌合した状態でレンズホルダ３０を隔壁部２３ｅの周方向に回動すると、係止突起２３ｆはレンズホルダ３０の係合孔３０ｄに沿って水平方向に移動して係止端３０ｅに案内される。このように、レンズホルダ３０の係合孔３０ｄと反射部材２３の係止突起２３ｆにより、レンズ２９とパネル２４が灯具本体１１に固定される。
【００３２】
レンズホルダ３０は、反射部材２３の隔壁部２３ｅに嵌合することで、第１ＬＥＤ素子３１と第２ＬＥＤ素子３２の間を区画する壁部を構成する。該壁部は、光を遮蔽する構造体である。
【００３３】
ヒートシンク４１は、熱伝導率の高いアルミニウム等の金属素材からなる放熱部材である。ヒートシンク４１は、基部４２と、放熱フィン４３と、光源配置部４４と、取付バネ７１を取り付けるバネ取付部４８を有している。
【００３４】
基部４２は、有底略円筒状である部分である。基部４２は、上部に円板形状の上板部４２ａを有している。上板部４２ａには、平面視において放射状であって、上方に立設する複数の放熱フィン４３・４３・・・が形成されている。図４に示すように、基部４２の下端側には、凹状で光源部２１を配置するための光源配置部４４が形成されている。
【００３５】
バネ取付部４８は、取付バネ７１をヒートシンク４１に取り付ける部分である。バネ取付部４８は、ヒートシンク４１の基部４２の周縁に略均等配置されるように複数個（本実施形態では、２個）設けられている。バネ取付部４８は、取付バネ７１を当接してネジ５７で取り付けるためのものである。
【００３６】
フランジ部３５は、灯具本体１１の下部の外周縁から径方向外側に突出して環状に形成される鍔部である。フランジ部３５は、埋込型照明器具１００を天井Ｃの取付穴Ｈに設置した状態で取付穴Ｈの周縁部を覆う部分である。フランジ部３５の上面には、灯具本体１１を取付穴Ｈに取り付けた際に、灯具本体１１と取付穴Ｈの周縁部との隙間を塞ぐための平面視環状の枠パッキン３７が設けられている。フランジ部３５は、天井Ｃの下面側に枠パッキン３７を介して取付穴Ｈの周縁部を覆う。
【００３７】
取付バネ７１は、埋込型照明器具１００を天井Ｃの取付穴Ｈに埋め込んで取り付けるための固定手段である。取付バネ７１は、基部４２の周縁に略均等配置されたバネ取付部４８に配設される。取付バネ７１は、ステンレス素材等の板状金属部材の中途部を複数箇所屈曲及び湾曲させて形成された板バネである。取付バネ７１は、図１に示すように、略Ｖ字状に形成された板バネであり、基端部がヒートシンク４１のバネ取付部４８に当接してネジ５７により固定されるとともに、自由端部が灯具本体１１側方に延出されるものである。埋込型照明器具１００を天井Ｃの取付穴Ｈに設置した場合、取付バネ７１は、取付バネ７１が広がろうとする弾性力によって取付穴Ｈの周縁を押圧することでフランジ部３５との間で天井Ｃを挟持し、埋込型照明器具１００を天井Ｃに固定する。
なお、取付バネの形状、取付位置、本数等については、本実施形態のものに限定されない。
【００３８】
電源部５１は、光源部２１が有するＬＥＤ素子（第１ＬＥＤ素子３１、第２ＬＥＤ素子３２）に給電を行って、ＬＥＤ素子を点灯させるための電源装置である。電源部５１は、箱状の電源ケース内に直方形状に加工されたプリント配線板上に複数の電子部品が実装された電源回路が収容されたものである。電源部５１は、外部商用電源から供給される交流電流を所定の直流電流に変換し、変換後の電流を基板２２に実装された複数のＬＥＤ素子（第１ＬＥＤ素子３１、第２ＬＥＤ素子３２）に供給するためのものである。電源部５１は、配線（図示せず）を介して端子台５３に電気的に接続されている。端子台５３は、電源部５１の一側面に配置されている。埋込型照明器具１００を天井Ｃに取り付ける際、配線（図示せず）により端子台５３と天井裏側の外部商用電源（図示せず）とを接続することで、電源部５１は外部商用電源と電気的に接続される。電源部５１と基板２２は配線（図示せず）によって電気的に接続されている。
【００３９】
以上説明した本実施形態の埋込型照明器具１００における配光制御について図１０から図１３を用いて説明する。
【００４０】
先ず、埋込型照明器具１００において、配光特性を向上する構造について説明する。
図１０に示すように、第２ＬＥＤ素子３２（複数の第２ＬＥＤ素子３２ａ）から出た光の一部はパネル２４（周壁部２４ｃ）を通過する。パネル２４の外周縁近傍を通過する光は、パネル２４により拡散され、拡散光としてパネル２４の径方向内側（図１０では点線矢印で示す方向）に向けて出射されて径方向外側へと向かう。このように、パネル２４は、通過する光を広角に配光制御することができる。また、本実施形態の埋込型照明器具１００では、パネル２４の外周縁部と灯具本体１１（フランジ部３５）の下端面が連続的なカーブ形状もしくは略面一になるように形成されているため、パネル２４からの出射光がパネル２４の径方向外側に広がることを阻害しない。これにより、図１０に示すように、天井Ｃに取り付けた状態でも、パネル２４から径方向外側に広がる光を天井Ｃの天井面に導き、該天井面を明るく照らすことができる。すなわち、埋込型照明器具１００によれば、パネル２４の出射面と、該パネル２４に隣接する灯具本体１１の室内空間側の面とが連続的な略湾曲形状となるように形成されている。これにより、灯具本体１１の径方向の外側に向かって広がる広角配光となり、照明の配光特性を向上させることができる。
【００４１】
次に、第１ＬＥＤ素子３１と第２ＬＥＤ素子３２のそれぞれの発光光の混合を防止する構造について説明する。
図１１に示すように、第１ＬＥＤ素子３１から出た光の一部は、反射部材２３が有する円筒状の隔壁部２３ｅの内周面により反射され、レンズ２９側に進む。一方、第２ＬＥＤ素子３２から出た光の一部は、レンズホルダ３０が有する円筒壁部３０ａの外周面により反射される。このように、例えば、隔壁部２３ｅ及び円筒壁部３０ａから構成される壁部を設けることで、第１ＬＥＤ素子３１から出た光と第２ＬＥＤ素子３２から出た光が互いに混合しない。すなわち、埋込型照明器具１００によれば、光源の一部を、中角光等のスポット光や広角光等の拡散光としてそれぞれ独立して配光制御することができる。これにより、第１ＬＥＤ素子３１を点灯させ、第２ＬＥＤ素子３２を消灯させているとき、第１ＬＥＤ素子３１から出射する光が隔壁部２３ｅ及び円筒壁部３０ａから構成される壁部から径方向外側へ進行しないため、第１ＬＥＤ素子３１から出射する光によってパネル２４が発光して見えることがない。
なお、第１ＬＥＤ素子３１から出た光と第２ＬＥＤ素子３２から出た光が互いに混合しないのは、少なくとも壁部の径方向の領域における現象であって、第１ＬＥＤ素子３１からレンズ２９を介して下方に出射した光と、第２ＬＥＤ素子３２からパネル２４を介して下方に出射した光とは、灯具本体１１の下方領域において少なくとも一部が混合する場合がある。
【００４２】
次に、第１ＬＥＤ素子３１による発光光がパネル２４の裏面側に入らない構造について説明する。
図１２に示すように、レンズ２９の出射面側の外周端部からでる出射光は、レンズホルダ３０が配置されていることにより、パネル２４を通過してパネル２４の裏側に出ることがない。すなわち、レンズホルダ３０を設けることで、レンズ２９の出射面から出る第１ＬＥＤ素子３１による出射光と、パネル２４の出射面（表面）から出る第２ＬＥＤ素子３２による出射光を分離することができる。すなわち、埋込型照明器具１００によれば、光源を分割して、スポット光や拡散光としてそれぞれ独立して配光制御することができる。
【００４３】
また、本実施形態の埋込型照明器具１００では、図１３に示すように、レンズホルダ３０によりレンズ２９及びパネル２４を支持した状態で、レンズホルダ３０が有する係合孔３０ｄに、反射部材２３が有する係止突起２３ｆが係止されて、レンズホルダ３０によりレンズ２９及びパネル２４が灯具本体１１に取り付けられる構造を有している。これにより、レンズ２９及びパネル２４を一つの保持部材であるレンズホルダ３０により灯具本体１１に組み付け可能となり、部品点数を削減することができる。
【００４４】
また、本実施形態の埋込型照明器具１００では、図１３に示すように、反射部材２３と壁部（隔壁部２３ｅ及び円筒壁部３０ａ）とパネル２４とで区画される空間内において、第２ＬＥＤ素子３２から出る光を反射させながらパネル２４から出射させることできる。これにより、すなわち、埋込型照明器具１００によれば、光源を分割して、スポット光や拡散光としてそれぞれ独立して配光制御することができる。
【００４５】
本発明によれば、光源を分割して、スポット光や拡散光となるように配光制御し、１つの照明器具でスポット光と拡散光とを組み合わせた照明が可能である。
【符号の説明】
【００４６】
１１  灯具本体
２１  光源部
２３  反射部材
２３ｅ  隔壁部
２４  パネル
２９  レンズ
３０  レンズホルダ
３０ａ  円筒壁部
３１  第１ＬＥＤ素子（第１光源）
３２  第２ＬＥＤ素子（第２光源）
１００  埋込型照明器具
Ｃ  天井
Ｈ  取付穴
【図１】
0005944942.tif 000002
【図２】
0005944942.tif 000003
【図３】
0005944942.tif 000004
【図４】
0005944942.tif 000005
【図５】
0005944942.tif 000006
【図６】
0005944942.tif 000007
【図７】
0005944942.tif 000008
【図８】
0005944942.tif 000009
【図９】
0005944942.tif 000010
【図１０】
0005944942.tif 000011
【図１１】
0005944942.tif 000012
【図１２】
0005944942.tif 000013
【図１３】
0005944942.tif 000014